(57)【要約】【課題】  簡易な構造で信頼性を高めるとともにコストダウンを図ることのできるコネクタ構造を提供する。【解決手段】  雌コネクタ２０の開口２１に押し開き式の蓋３３が設けられており、雄コネクタ４０を開口２１に挿入して加圧リブ４１によって蓋３３を押すことにより蓋３３が開かれるので、簡易な構造であり、部品点数を減少させてコストダウンを図ることができる。【選択図】  図１
2005222731.tif 000002
【特許請求の範囲】
【請求項１】
雌コネクタと、この雌コネクタの開口に挿入する雄コネクタと、前記雌コネクタの開口を覆う蓋を有するコネクタ構造であって、
前記蓋が押し開き式の蓋であり、
前記雄コネクタの前端に前記蓋を押して開けるための加圧リブを設けたことを特徴とするコネクタ構造。
【請求項２】
前記蓋が、前記雌コネクタのコネクタハウジング内に設けられている端子の脱落を防止する二重係止部材に設けられていることを特徴とする請求項１に記載したコネクタ構造。
【請求項３】
コネクタハウジング内に設けられている端子の脱落を二重係止部材により防止する二重係止型の雌コネクタと、この雌コネクタに雄コネクタを挿入するための開口を覆う蓋を有するコネクタ構造であって、
前記蓋が、押し開き式の蓋であるとともに前記二重係止部材に設けられていることを特徴とするコネクタ構造。
【請求項４】
請求項１〜請求項３のうちのいずれかに記載したコネクタ構造を有するコネクタを端末に備えたことを特徴とするワイヤーハーネス。
【発明の詳細な説明】
【技術分野】
【０００１】
本発明はコネクタ構造に係り、例えば自動車において配策されるワイヤハーネスの接続に使用される雌コネクタにおいて、非接続状態での雌コネクタ内部への異物混入を防止できるコネクタ構造に関する。
【背景技術】
【０００２】
従来より、図３に示すような、コネクタ内部への異物混入を防止するコネクタ構造が知られている（例えば特許文献１参照）。
このコネクタ構造１００では、雌コネクタ１０１に、雄コネクタ１２０を挿入する挿入口１０２を中央に有する外装カバー１０３が設けられている。外装カバー１０３の内側には、外層カバー１０３の背面１０３ａに沿って上下に移動する縦方向スライド内装カバー１０４、１０５と、水平方向に移動する横方向スライド内装カバー１０６、１０７（図４参照）が設けられている。
縦方向スライド内装カバー１０４、１０５は、互いに接近した際に対向する端面同士が接触するようになっており、各端面には傾斜面１０４ａ、１０５ａが設けられている。横方向スライド内装カバー１０６、１０７も同様に互いに接近・離反自在に設けられており、図示はしないが傾斜面も同様に設けられている。
【０００３】
図４に示すように、外装カバー１０３の裏面１０３ａには、各内装カバー１０４、１０５、１０６、１０７の移動をガイドするガイド用リブ１０８が取付けられており、ガイド用リブ１０８は挿入口１０２を中心に配置した幅広の十字形状をしている。
各内装カバー１０４、１０５、１０６、１０７は、ガイド用リブ１０８の内部において移動可能にガイドされるとともに、ばね１０９ａ、１０９ｂによって常時中心に向かって付勢されている。
従って、常時は縦方向スライド内装カバー１０４、１０５および横方向スライド内装カバー１０６、１０７によって、挿入口１０２が二重に蓋されることになる。
【０００４】
このようなコネクタ構造１００では、雄コネクタ１２０を雌コネクタ１０１の挿入口１０２に挿入すると、雄コネクタ１２０の先端がまず縦方向スライド内装カバー１０４、１０５の傾斜面１０４ａ、１０５ａを押して縦方向スライド内装カバー１０４、１０５を上下に押し開ける。
次いで、同様にして横方向スライド内装カバー１０６、１０７を左右に押し開けて、内部機器側コネクタ１１０に接続される。
【特許文献１】特開２００１−２０３０３２号公報（図２）
【発明の開示】
【発明が解決しようとする課題】
【０００５】
ところで、前述したようなコネクタ構造１００においては、蓋の開閉機構が複雑で、かつ、蓋を構成する内装カバー１０４、１０５、１０６、１０７やばね１０９ａ、１０９ｂ等の部品が小さく、雄コネクタ１２０の挿入時に破損したり、動作不良等の虞れがあり、信頼性に欠けるという不都合があった。また、部品点数が多いため、コストアップを招くという不都合があった。
【０００６】
本発明は、前述した問題点に鑑みてなされたものであり、その目的は、簡易な構造で信頼性を高めるとともにコストダウンを図ることのできるコネクタ構造を提供することにある。
【課題を解決するための手段】
【０００７】
１）前述した目的を達成するために、本発明にかかるコネクタ構造は、雌コネクタと、この雌コネクタの開口に挿入する雄コネクタと、前記雌コネクタの開口を覆う蓋を有するコネクタ構造であって、前記蓋が押し開き式の蓋であり、前記雄コネクタの前端に前記蓋を押して開けるための加圧リブを設けたことを特徴としている。
【０００８】
このように構成されたコネクタ構造においては、雌コネクタの開口に押し開き式の蓋が設けられており、雄コネクタを開口に挿入して加圧リブによって蓋を押すことにより蓋が開かれるので、簡易な構造で異物の混入を防止でき、部品点数を減少させてコストダウンを図ることができる。
【０００９】
２）また、本発明にかかるコネクタ構造は、前記蓋が、前記雌コネクタのコネクタハウジング内に設けられている端子の脱落を防止する二重係止部材に設けられていることを特徴としている。
【００１０】
このように構成されたコネクタ構造においては、蓋を二重係止部材に設けたので、部品点数を増加させることなく、簡易な構造で、雌コネクタの開口からの異物混入を防止することができる。
【００１１】
３）また、本発明にかかるコネクタ構造は、コネクタハウジング内に設けられている端子の脱落を二重係止部材により防止する二重係止型の雌コネクタと、この雌コネクタに雄コネクタを挿入するための開口を覆う蓋を有するコネクタ構造であって、前記蓋が、押し開き式の蓋であるとともに前記二重係止部材に設けられていることを特徴としている。
【００１２】
このように構成されたコネクタ構造においては、コネクタハウジング内に設けられている端子の脱落を防止するための二重係止部材に、雌コネクタの開口を覆う押し開き式の蓋を設けたので、簡易な構造で異物の混入を防止でき、部品点数を減少させてコストダウンを図ることができる。
【００１３】
４）また、本発明にかかるワイヤーハーネスは、１）〜３）のうちのいずれかに記載したコネクタ構造を有するコネクタを端末に備えたことを特徴としている。
【発明の効果】
【００１４】
本発明によれば、簡易な構造で雌コネクタの開口を覆う蓋を設けることができ、信頼性を高めるとともに、部品点数を減少させてコストダウンを図ることができる。
【発明を実施するための最良の形態】
【００１５】
以下、本発明に係る実施形態を図面に基づいて詳細に説明する。図１は本発明のコネクタ構造に係る実施形態を示す分解斜視図、図２（Ａ）〜（Ｃ）は雄コネクタを挿入する際の蓋の動きを示す断面図である。
【００１６】
図１に示すように、本発明の実施形態に係るコネクタ構造１０は、雌コネクタ２０と、この雌コネクタ２０の開口２１に挿入して接続するする雄コネクタ４０と、雌コネクタ２０の挿入口である前面の開口２１を覆う蓋部３０を有している。
雌コネクタ２０は、コネクタハウジング２２内に設けられている端子２０ａ（図２参照）の脱落を二重係止部材３１により防止する二重係止型であり、二重係止部材３１を嵌合させるための二重係止部材嵌合穴２３が設けられている。コネクタハウジング２２の上面における二重係止部材嵌合穴２３の前側（前面の開口２１側）にも開口２１Ｕが設けられており、前面の開口２１と連続している。
【００１７】
雌コネクタ２０のコネクタハウジング２２の両側壁２２Ｌ、２２Ｒ前端には幅狭の前壁２２ｂが各々コネクタハウジング２２の内側に向かって設けられており、両前壁２２ｂ、２２ｂ間が前面の開口２１となっている。
各前壁２２ｂの後側（図１において右側）には、所定の間隔をおいてガイドリブ２４が設けられており、ガイドリブ２４の下側にはコネクタハウジング２２の底板２２ａとの間に空間が設けられている。
また、図２（Ａ）に示すように、底板２２ａにおけるガイドリブ２４に対応する位置には切欠き２７が設けられており、この切欠き２７内部には底板２２ａから薄板状の支持部材２５が片持ち状に設けられていて、支持部材２５の先端には高さが低く前側に傾斜面または曲面を有する係止突起２５ａが設けられている。
従って、係止突起２５ａを下方へ押すと、支持部材２５が撓んで係止突起２５ａは切欠き２７の内部に没することになる。なお、前壁２２ｂの上端部およびガイドリブ２４の上端部には傾斜部が設けられており、上端部における前壁２２ｂとガイドリブ２４との間隔が広くなっている。
【００１８】
蓋部３０は、二重係止部材３１と一体的に形成されており、二重係止部材３１に連続して上面の開口２１Ｕを覆う上蓋３２と、上蓋３２の前方に設けられて前面の開口２１を覆う蓋としての前蓋３３が設けられている。
前蓋３３は、ヒンジ部３４を介して上蓋３２と一体的に形成されており、ヒンジ部３４を中心として前後に開閉自在に設けられている。前蓋３３の下端部には、左右両外側に突出するガイド突起３３ａが設けられており、コネクタハウジング２２の前壁２２ｂとガイドリブ２４との間の隙間を移動可能となっている。
また、前蓋３３の下端が底板２２ａに当接して開口２１を蓋した状態では、前蓋３３のガイド突起３３ａはガイドリブ２４の下側の空間２６を通って後方へ移動することができるようになっている。
【００１９】
従って、二重係止部材３１を雌コネクタ２０の二重係止部材嵌合穴２３に取付けると、端子２０ａの脱落の防止を図るとともに、上蓋３２が雌コネクタ２０の上面開口２１Ｕを覆い、さらに、上蓋３２の前端から前蓋３３が垂れ下がって雌コネクタ２０の前面の開口２１を覆うことになる。
このため、前蓋３３は雌コネクタ２０の内部に押込むことにより開く押し開き式の蓋となっている。
【００２０】
なお、前蓋３３は、ガイド突起３３ａと前壁２２ｂおよびガイドリブ２４との協働により、外側には開かず、内側にのみ開くようになっている。また、挿入時以外は係止突起２５により前蓋３３は閉じた位置に拘束されるので、雄コネクタ４０は自由に開かないようになっている。
従って、雄コネクタ４０を挿入する際には、ある程度の力で前蓋３３を内側へ押し開いて、挿入することになる。
【００２１】
一方、雄コネクタ４０の前端（挿入方向前端）には、前蓋３３を押し開くための加圧リブ４１が設けられている。加圧リブ４１は、雄コネクタ４０のコネクタハウジング４２の側壁４２ａを前方に突出させて設けることができる。
この加圧リブ４１は、例えば、雄コネクタ４０を雌コネクタ２０に挿入する際の挿入力を一定にするために、側壁４２ａの上端から下端に向かって、連続的に突出量を増加させるような曲面とすることができる。
【００２２】
次に、図２（Ａ）〜（Ｅ）に基づいて、蓋部３０の装着動作および雄コネクタ４０と雌コネクタ２０の接続動作について説明する。
図２（Ａ）に示すように、前蓋３３のガイド突起３３ａを鉛直下方にたらした状態で雌コネクタ２０の前壁２２ｂとガイドリブ２４との間の上方にもっていく。図２（Ｂ）に示すように、ガイド突起３３ａを前壁２２ｂとガイドリブ２４との間に落とし込んで下降させるとともに、二重係止部材３１を二重係止部材嵌合穴２３に挿入して蓋部３０をコネクタハウジング２２に取付ける。これにより、図２（Ｃ）に示すように、開口２１を蓋した状態となるので、雌コネクタ２０内部への異物の混入を防止することができる。
次いで、図２（Ｄ）に示すように、雄コネクタ４０を雌コネクタ２０の開口２１に挿入すると、雄コネクタ４０の加圧リブ４１が前蓋３３をコネクタハウジング２２の内部に押込む。
このとき、前蓋３３の下端部が係止突起２５ａを押し下げ、支持部材２５の撓みによって係止突起２５ａは切欠き２７に没するため、前蓋３３はヒンジ部３４を中心としてコネクタハウジング２２の内側に旋回して開くことができる。また、係止突起２５ａが下方に没しているので雄コネクタ４０も雌コネクタ２０の内部に進入することができ、雄コネクタ４０の端子４０ａと雌コネクタ２０の端子２０ａが接続される。
【００２３】
以上、前述したコネクタ構造１０によれば、雌コネクタ２０に蓋部３０を取付けて、挿入口である開口２１を前蓋３３によって蓋することにより、雌コネクタ２０内部への異物混入を防止することができるとともに、雄コネクタ４０の挿入時には、挿入動作に伴って前蓋３３が押し開かれる。
また、前蓋３３は、二重係止部材３１に一体的に形成されており、肉厚が薄いヒンジ部３４によって開閉するので、部品点数を増加させることなく、簡易な構造で蓋を設けることができる。
これにより、動作不良をなくして信頼性を高めるとともに、コストダウンを図ることができる。
【００２４】
また、最終的に雄コネクタ４０が雌コネクタ２０に挿入された状態では、前蓋３３は、雄コネクタ４０のコネクタハウジング４２と雌コネクタ２０の上蓋３２との間に挟まれた状態となっており、前蓋３３が雄コネクタ４０を雌コネクタ２０のコネクタハウジング２２の底板２２ａに押し付けることになっている。このため、挿入された雄コネクタ４０の端子４０ａの上下の誤差を小さくすることができる。これに伴い、雌コネクタ２０における端子２０ａの高さ位置を設計する際に、雄コネクタ４０側端子４０ａの高さ誤差を小さく考慮でき、設計が楽になる。
【００２５】
なお、本発明のコネクタ構造は、前述した実施形態に限定されるものでなく、適宜な変形，改良等が可能である。
例えば、前述した実施形態においては、雌コネクタ２０は二重係止型であって、雄コネクタ４０の挿入口である前面の開口２１のみならず上面にも開口２３が設けられている場合について説明した。この場合には、蓋部３０の前蓋３３によって前面の開口２１を覆うとともに、上蓋３２によって上面の開口２１Ｕを覆うようにしたが、前面の開口２１のみを有する場合にも適用できる。また、二重係止型でない場合にも適用することができる。
この場合には、前蓋３３を雌コネクタ２０のコネクタハウジング２２にピン等により直接開閉自在に取付けるようにする。これにより、前述した実施形態の場合と同様の作用・効果を得ることができる。
また、雄コネクタ４０に加圧リブ４１を設けていない場合にも適用することができる。この場合には、例えば手で前蓋３３を雌コネクタの内側に押し開けて雄コネクタ４０を挿入するようにすることができる。
また、本発明のコネクタ構造１０は、図１に示したような姿勢での使用に限定されない。すなわち、上蓋３２が下側や横に位置する姿勢や、雌コネクタ２０と雄コネクタ４０が上下に配される場合でも同様に使用することができる。
【図面の簡単な説明】
【００２６】
【図１】本発明の実施形態に係るコネクタ構造を示す分解斜視図である。
【図２】（Ａ）〜（Ｅ）は、蓋部の装着動作および雄コネクタを雌コネクタに挿入するとき状態を示す断面図である。
【図３】従来のコネクタ構造を示す断面図である。
【図４】図３のコネクタ構造における蓋の動きを示す正面図である。
【符号の説明】
【００２７】
１０  コネクタ構造
２０  雌コネクタ
２１  開口
２２  コネクタハウジング
３１  二重係止部材
３３  前蓋（蓋）
４０  雄コネクタ
４１  加圧リブ
【図１】
2005222731.tif 000003
【図２】
2005222731.tif 000004
【図３】
2005222731.tif 000005
【図４】
2005222731.tif 000006